(57)【特許請求の範囲】
【請求項１】
棚支柱を、前面にブラケット係止用の係止孔を縦方向に複数個備えた第１の支柱部分と、この第１の支柱部分の後方にこれと連結して設けられた第２の支柱部分とからなるものとし、前記第１の支柱部分の下端に、前方を向く当接部を設け、この当接部を、机脚の上面に当接して、棚支柱の荷重を受けるようにし、前記第２の支柱部分の下端に嵌挿部を突設し、この嵌挿部を、机脚の後部適所に設けた垂直方向の嵌合部に嵌挿し、かつ前記机脚とねじ止めすることにより、前記棚支柱を、前記机脚の後部上方に立設し、左右の机脚上に立設した棚支柱の前面に、前方を向くブラケットを介して、棚板を高さ変更可能に架設したことを特徴とする机上棚装置。
【請求項２】
第１の支柱部分の当接部を机脚にねじ止めし、第２の支柱部分の嵌挿部を、上下２ヶ所において前記机脚にねじ止めした請求項１記載の机上棚装置。
【発明の詳細な説明】
【０００１】
【発明の属する技術分野】
本発明は、机天板の上方に棚を形成する机上棚装置、特にディーリングデスク等の、棚の上にもＣＲＴ等の重量物が載置される机の机上棚装置に関する。
【０００２】
【従来の技術】
従来、デスクワークをするに当たっては、ＯＡ化に伴いＣＲＴ等を机上面に載せているが、その大きさでかなりの机上スペースをとることになり、作業するスペースが狭くなっていた。
また、ディーリングデスクのようにＣＲＴ等のＯＡ機器を複数個使用しなければならない場合、すべての機器を机上に置くことが不可能な場合は、机下か机横に置かなければならず、作業効率が悪くなるばかりか、このようにしてもスペースも限られるため、多くは置くことができなかった。
このため、従来のディーリングデスク等では、側板の奥行きが充分ある箱状の棚を載置して机上棚としてＣＲＴ等の重量物をその上に載せていた。
【０００３】
【発明が解決しようとする課題】
上述の従来のディーリングデスクの机上棚では、重量物の支持に問題はないものの、奥行きの大きい側板によって机の天板面の有効利用が妨げられ、しかも棚高さの変更ができなかった。
【０００４】
本発明の目的は、天板の有効面積を損なわず、しかも高さ変更可能かつ重量物の載置にも耐えられる机上棚装置を提供することにある。
【０００５】
【課題を解決するための手段】
本発明によると、上記課題は、次のようにして解決される。
(１)  棚支柱を、前面にブラケット係止用の係止孔を縦方向に複数個備えた第１の支柱部分と、この第１の支柱部分の後方にこれと連結して設けられた第２の支柱部分とからなるものとし、前記第１の支柱部分の下端に、前方を向く当接部を設け、この当接部を、机脚の上面に当接して、棚支柱の荷重を受けるようにし、前記第２の支柱部分の下端に嵌挿部を突設し、この嵌挿部を、机脚の後部適所に設けた垂直方向の嵌合部に嵌挿し、かつ前記机脚とねじ止めすることにより、前記棚支柱を、前記机脚の後部上方に立設し、左右の机脚上に立設した棚支柱の前面に、前方を向くブラケットを介して、棚板を高さ変更可能に架設する。
【０００６】
(２)  上記(１)項において、第１の支柱部分の当接部を机脚にねじ止めし、第２の支柱部分の嵌挿部を、上下２ヶ所において前記机脚にねじ止めする。
【０００７】
【発明の実施の形態】
図１は、本発明の机上棚装置(１)を有する２個のディーリングデスク(Ａ)を並置した実施形態を示す斜視図である。この実施形態では、２個のディーリングデスク(Ａ)の中間の机脚(２)は後部のみの短いものとして示されているが、一般には机脚(２)は両端に示されているように机の前端まで延びる長さのものである。
【０００８】
ディーリングデスク(Ａ)の後端の隅部には、棚支柱(３)が立設され、その前面に縦方向に複数個穿設されたスリットすなわち係止孔(４)の任意の高さのものに、ブラケット(５)を係止させ、このように高さを揃えて取り付けた左右のブラケット(５)に棚板(６)を掛け渡してある。
【０００９】
図２は、図１の左端の机脚(２)の後端を後方から見た拡大部分斜視図であって、脚支柱(３)を机脚(２)に挿入する途中の状態を示している。
なお、机脚(２)上の天板は省略してある。
【００１０】
机脚(２)は、その構造材をなす断面コ字状の垂直部材(７)と、これに溶接等によって固着された断面コ字状の上部水平部材(８)とを有し、この実施例の場合、垂直部材(７)は、コ字形の開口部を後方に向け、上部水平部材(８)は、コ字形の開口部を上方に向けている。
【００１１】
脚支柱(３)は、前面にブラケット係止用のスリット(４)を縦方向に複数個備えた第１の支柱部分(3a)と、第１の支柱部分(3a)の後方にこれと連結して設けられ、下端に嵌挿部(11a)を突設した第２の支柱部分(3b)とからなっている。
【００１２】
第１の支柱部分(3a)は、断面略コ字状をなし、かつ中央部に垂直方向に並ぶ複数のスリット(４)を穿設した鋼材(９)を主構成部材としており、その鋼材(９)の下端部には、前方を向く水平の当接片(10)が連設されている。
【００１３】
第２の支柱部分(3b)は、断面コ字状の鋼材(11)を主構成部材とし、この鋼材(11)の下端部は、第１の支柱部分(3a)の下端より下方に長く突出し、机脚(２)のコ字状の垂直部材(７)の内面により形成される嵌合部内に密着して嵌挿される嵌挿部(11a)となっている。
【００１４】
鋼材(９)及び鋼材(11)は、薄い鋼板のような被覆材(12)（図示の実施形態では折り曲げた３枚の被覆材とされている）により覆われ、内側に空間部分を隔てて外側で連結された第１及び第２の支柱部分(3a)(3b)を形成している。
【００１５】
このょうな構成の脚支柱(３)は、図２に示すように、その第２の支柱部分(3b)の嵌挿部(11a)を、机脚(２)の垂直部材(７)内に３面が密着する関係で嵌挿し、上下２ヶ所の高さ位置でボルト(14)及び固定ナット(15)により締着されている。
この締着後、垂直部材(７)の後面の開放部には、カバー(16)をはめ込んで後面を覆う。
なお、固定ナット(15)を机脚(２)側に溶接により取り付け、ボルト(14)を脚支柱(３)側から挿入するようにするのがよい。
【００１６】
この固着高さ位置では、第１の支柱部分(3a)の下端の当接片(10)は、机脚(２)の上部水平部材(８)の底面に当接するので、これをボルト(13)により締着するのがよい。
【００１７】
【発明の効果】
本発明によれば、ＣＲＴ等の重量物は机上棚の上に安定して、しかも体裁よく載置でき、机の天板上は最大限に使用することができる。また、ブラケットを任意の高さ位置に取り付けられるので、棚の高さの設定、変更が自由であり、さらには、棚が不要の場合には、全体を取り外して通常の平机とすることができる。
【００１８】
また、重量物の荷重は当接部で受けられ、第２の支柱部分の机脚への取り付け部分に余計な負担をかけることがない。
【００１９】
請求項２記載の発明によると、棚支柱に作用する前後方向の力に対して棚支柱がぐらつくことなく、机脚と棚支柱とを一体化させることができる。
【図面の簡単な説明】
【図１】  本発明の机上棚装置を備えたディーリングデスクの斜視図である。
【図２】  同じく、要部を後方から見た拡大分解斜視図である。
【符号の説明】
(Ａ)ディーリングデスク
(１)机上棚装置
(２)机脚
(３)机支柱
(3a)第１の支柱部分
(3b)第２の支柱部分
(４)スリット（係止孔）
(５)ブラケット
(６)棚板
(７)垂直部材
(８)上部水平部材
(９)鋼材
(10)当接片
(11)鋼材
(11a)嵌挿部
(12)被覆材
(13)ボルト
(14)ボルト
(15)ナット
(16)カバー
【図１】
0003856254.tif 000002
【図２】
0003856254.tif 000003